(57)【要約】【課題】ウェルドナットの取付け姿勢を常に安定させ、ウェルドナットの溶接品質を安定させることができるウェルドナット供給装置を提供する。【解決手段】供給ロッドの先端に軸方向に伸びる串刺ロッドを設けるとともに、該串刺ロッドと平行に、ウェルドナットの側面に接してウェルドナットの回動を規制する規制ロッドを設けたものである。【選択図】図４
2016193452.tif 000002
【特許請求の範囲】
【請求項１】
ナットフィーダから供給されるウェルドナットを保持部材で保持し、該ウェルドナットのねじ穴に、軸方向に進退する供給ロッドを串刺してウェルドナットを溶接位置に供給するウェルドナット供給装置において、前記供給ロッドの先端に軸方向に伸びる串刺ロッドを設けるとともに、該串刺ロッドと平行に、ウェルドナットの側面に接してウェルドナットの回動を規制する規制ロッドを設けたことを特徴とするウェルドナット供給装置。
【請求項２】
前記規制ロッドを串刺ロッドの両側に設けたことを特徴とする請求項１に記載のウェルドナット供給装置。
【発明の詳細な説明】
【技術分野】
【０００１】  本発明はウェルドナットを溶接位置に供給するためのウェルドナット供給装置に関するものである。
【背景技術】
【０００２】  従来、基材の所定位置にウェルドナットを溶接したものが、各種の産業にて使用されており、両者を溶接するのに電気抵抗溶接機が一般に用いられている。【０００３】  そして、ウェルドナットを基材の溶接位置に供給するウェルドナット供給装置として、最近では、図６に示すように、ナットフィーダから供給されるウェルドナット５１を保持部材５２の磁力でウェルドナット５１のねじ穴５３の軸方向と供給ロッド５４の軸方向とを一致させて保持し、ウェルドナット５１のねじ穴５３に供給ロッド５４を串刺して、ウェルドナット５１を基材５５の溶接位置に供給するようにしたものがある。（例えば特許文献１参照）
【先行技術文献】
【特許文献】
【０００４】
【特許文献１】特開２００８−１７３６４９号公報
【発明の概要】
【発明が解決しようとする課題】
【０００５】  前記のものでは、確実にウェルドナットを溶接位置に供給することができるという効果があるが、保持部材からウェルドナットが離れた後に、ウェルドナットが供給ロッドを軸に回動することがあり、ウェルドナットの取付け姿勢が安定せず、基材のウェルドナットの溶接位置の近傍に突部などがあると、ウェルドナットが回動して端部が突部に乗りウェルドナットが傾斜して配置されることがあり、ウェルドナットの基材に乗り上げた端部側が基材との間に隙間が空き、この状態にて溶接すると溶接強度が不足するなど、溶接品質が低下するという問題があった。【０００７】  本発明は、前記の問題を解決して、ウェルドナットの取付け姿勢を常に安定させ、溶接個所の近傍に突部等が有っても、ウェルドナットの溶接品質を低下することが無いウェルドナット供給装置を提供することを目的とする。
【課題を解決するための手段】
【０００８】  上記課題を解決するためになされた本発明のウェルドナット供給装置はナットフィーダから供給されるウェルドナットを保持部材で保持し、該ウェルドナットのねじ穴に、軸方向に進退する供給ロッドを串刺してウェルドナットを溶接位置に供給するウェルドナット供給装置において、前記供給ロッドの先端に軸方向に伸びる串刺ロッドを設けるとともに、該串刺ロッドと平行に、ウェルドナットの側面に接してウェルドナットの回動を規制する規制ロッドを設けたことを特徴としたものである。【０００９】  なお、規制ロッドを串刺ロッドの両側に設けることが望ましい。【００１０】
【発明の効果】
【００１１】  請求項１の発明では、供給ロッドの先端に軸方向に伸びる串刺ロッドを設けるとともに、該串刺ロッドと平行に、ウェルドナットの側面に接してウェルドナットの回動を規制する規制ロッドを設けたので、ウェルドナットの取付け姿勢を常に安定させ、ウェルドナットの溶接品質を安定させることができる。【００１２】  請求項２の発明では、規制ロッドを串刺ロッドの両側に設けたでウェルドナットの取付け姿勢を一層安定させることができる。
【図面の簡単な説明】
【００１３】
【図１】本発明の実施の形態を示すウェルドナット供給装置の側面図である。
【図２】図１で供給ロッドを伸ばした状態を示す側面図である。
【図３】要部の平面図である。
【図４】本発明の使用状態を示す断面図である。
【図５】保持部材にウェルドナットを保持した状態を示す正面図である。
【図６】従来の使用状態を示す断面図である。
【発明を実施するための形態】
【００１４】  以下、本発明の好ましい実施の形態を図に基づいて説明する。
図１及び図２は本発明の実施の形態であるウェルドナット供給装置を示す図であり、１はナットフィーダであり、ナットフィーダ１はホース２を介して後述するナット供給部３にウェルドナット４を供給している。
【００１５】  ５はシリンダであり、シリンダ５の進退する供給ロッド６は、後述するように基材７の溶接部にウェルドナット４を供給している。
【００１６】  ８は下部電極であり、下部電極８のガイドピン９に基材７の溶接用孔１０が嵌合されており、溶接用孔１０は、基材７に溶接されたウェルドナット４に、図示しないボルトを螺合したときボルトの軸部が挿通される。１１は上部電極である。
【００１７】  図３は供給ロッド６の先端を示す要部の平面図であり、供給ロッド６の先端略中央にはウェルドナット４のねじ穴１２を串刺する串刺ロッド１３が軸方向に延設されており、該串刺ロッド１３の両側には、串刺ロッド１３から等間隔の位置に、ウェルドナット４の側面に接してウェルドナット４の回動を規制する規制ロッド１４、１４が串刺ロッド１３に平行に延設されている。なお、串刺ロッド１３の軸と直角方向の大きさはウェルドナット４のねじ穴１２の径より小さくなっており、また、規制ロッドの内側間の幅は、ウェルドナット４の幅より僅かに大きく形成されている。尚、例えば、Ｍ８のウェルドナット４の場合、串刺ロッド１３の大きさはウェルドナット４のねじ穴１２の径より２．９ｍｍ小さく、また、規制ロッド１４、１４内側間の幅は、ウェルドナット４の幅より０．５ｍｍ大きく形成されている。
【００１８】  図４は使用状態を示す断面図であり、図５は保持部材にウェルドナットを保持した状態を示す正面図である。前記の供給部３はシリンダ５の先端が差込まれた基体１５と、基体１５の開口部１６に臨むように基体１５の軸方向と直角にとなるように取付けられ、基体１５と反対側に、前記ナットフィーダ１からのホース２が接続された供給管１７と供給管１７の下部にボルト１８にて取付けられ、ウェルドナット４を保持する磁力を発生する磁石１９を内部に設けた保持部材２０から構成されている。尚、保持部材２０の上下の表面は磁性体である鉄製の吸着部材２１が被着されており、吸着部材２１にはウェルドナット４のプロジェクション２２が嵌合する溝２３が形成されている。
【００１９】  また、供給管１７の下端の延長線上に保持部材２０が位置しており、このような構成により、ナットフィーダ１からホース２を介して供給されるウェルドナット４が供給管１７の内部を通って供給管１７の下端から排出され、磁力により保持部材２０の吸着部材２１に吸着して保持される。また保持部材２０の吸着部材２１の溝２３にウェルドナット４のプロジェクション２２が嵌合して保持されるので、ウェルドナット４のねじ穴の軸方向と供給ロッド６の軸方向が一致するようにウェルドナット４は保持部材２０に保持される。
【００２０】  次に本発明の動作について説明する。前記したように、供給管１７から供給されたウェルドナット４は保持部材２０にて保持され、この状態でシリンダ５を動作して供給ロッド６を前進させ、ウェルドナット４のねじ穴１２に串刺ロッド１３を串刺、串刺ロッド１３の基端にてウェルドナット４を保持する。供給ロッドが停止すると、ウェルドナット４は串刺ロッド１３に串刺された状態で串刺ロッド１３に沿って滑落し。ウェルドナット４のねじ穴１２が、ガイドピン９の先端上に導かれ、ウェルドナット４のねじ穴１２がガイドピン９に嵌め込まれてウェルドナット４が溶接位置に配置される。ウェルドナット４が串刺ロッド１３に沿って滑落するとき、規制ロッド１４、１４によってウェルドナット４の回動が規制されるので、ウェルドナット４は、常に同じ姿勢にて溶接位置に配置される。
【００２１】  ウェルドナット４が溶接位置に配置され、供給ロッド６が後退すると、上部電極１１が下降してガイドピン９を押し下げウェルドナット４に当接するとともにウェルドナット４のプロジェクション２２が基材７に当接する。その後、上部電極１１、ウェルドナット４、基材７及び下部電極８に電流を流して、基材７にウェルドナット４を溶接する。
【００２２】  本発明は、前記実施の形態に限定されるものではなく、例えば、串刺ロッド１３の両側に延設されている規制ロッド１４、１４は片側に延設すればよく、また、串刺ロッド１３と規制ロッド１４、１４は供給ロッドと一体に延設されているが、串刺ロッド１３と規制ロッド１４、１４別体に形成し、供給ロッド６の先端に取付けるようにしてもよい。
【００２３】  以上のように、本発明のウェルドナット供給装置は、供給ロッド６の先端の略中央部に串刺ロッドを設けるとともに、串刺ロッド１３に平行でウェルドナット４の側面に接してウェルドナット４の回動を規制する規制ロッド１４を設けたので、ウェルドナット４が串刺ロッド１３を滑落するときに、ウェルドナット４の回動を規制ロッド１４にて規制するのでウェルドナット４は常に同じ姿勢にて溶接され、ウェルドナット４の溶接品質を安定させることができる。
【００２３】  １  ナットフィーダ
４  ウェルドナット
６  供給ロッド
１２  ねじ穴
１３  串刺ロッド
１４  規制ロッド
２０  保持部材
【図１】
2016193452.tif 000003
【図２】
2016193452.tif 000004
【図３】
2016193452.tif 000005
【図４】
2016193452.tif 000006
【図５】
2016193452.tif 000007
【図６】
2016193452.tif 000008